(57)【要約】  本発明は、釣り糸を巻くために、ハンドルを回転させる角度を変更して、ユーザーの手首折れを防止して、手首に負担をかけない状態で釣りをすることができるもので、釣り竿に装着される本体と、前記本体に回転可能に設置されて釣り糸が巻けたり解けたりするようにするスプールと、前記スプールの回転を誘導するスプールシャフトの変速ギアと連結され、前記スプールを回転させるハンドルで構成される釣り用リールにおいて、前記ハンドルは、前記スプールシャフトの変速ギアと角度変更手段で連結され、前記ハンドルが連結された角度を変更して、前記スプールを回転させることによって手首に加わる負担を減らすことを可能にすることを特徴とする釣り用リールを提供する。【選択図】図１
2018517417.tif 000002
【特許請求の範囲】
【請求項１】
釣り竿に装着される本体と、前記本体に回転可能に設置されて、釣り糸が巻けたり解けたりするようにするスプールと、前記スプールの回転を誘導するスプールシャフトの変速ギアと連結されて、前記スプールを回転させるハンドルで構成される釣り用リールにおいて、
前記ハンドルは、前記スプールシャフトの変速ギアと角度変更手段で連結され、前記ハンドルが連結された角度を変更して、前記スプールを回転させることによって手首に加わる負担を減らすことができることを特徴とする釣り用リール。
【請求項２】
前記角度変更手段は、ベベルギアで構成されて、前記ハンドルが前記スプールシャフトの変速ギアと変更された角度で連結された状態を維持しながら回転されるようにすることを特徴とする請求項１に記載の釣り用リール。
【請求項３】
前記ハンドルとスプールシャフトの変速ギアが連結された角度は、２０°乃至３０°に維持されることを特徴とする請求項２に記載の釣り用リール。
【請求項４】
前記角度変更手段は、ユニバーサルジョイントまたは等速ジョイントで構成され、前記ハンドルが回転される角度を可変的に適用することができることを特徴とする請求項１に記載の釣り用リール。
【請求項５】
前記角度変更手段は、前記ハンドルと着脱可能に連結されて結合されることを特徴とする請求項１に記載の釣り用リール。
【発明の詳細な説明】
【技術分野】
【０００１】
本発明は、釣り用リールに関するもので、より詳しくは、釣り糸を巻くために、ハンドルを回転させる角度を変更して、ユーザーの手首折れを防止して、手首に負担をかけない状態で釣りをすることができる釣り用リールに関するものである。
【背景技術】
【０００２】
一般的に、釣り用リールは、釣り竿に装着して釣り糸を解けたり巻けたりするようにした装置であって、リールのスプールに釣り糸が巻けるようになっており、このような釣り用リールには、スピニングリールとベイトキャストリールがあり、ここで、スピニングリールは、釣り糸の案内部を備えたロータと、釣り糸が巻き回されるスプールを備え、ハンドルの回転操作によりロータを回転させるとともに、スプールを往復移動させる構成となっている。
【０００３】
そして、ベイトキャストリールは巻き取られた釣り糸の端に多様な重量を持つ釣り餌と釣り針を目的とする位置に投げるようにしたもので、釣り餌と釣り針を投擲した場合、スプールから釣り糸が解けながら、スプールは、高速で回転することになる。
【０００４】
一方、釣り餌と釣り針の投擲後に、魚を釣ったり、釣り餌を交換しなければならない場合、ユーザーがスプールの一側に回転可能に結合されたハンドルを回転操作して、スプールを回転させて、解けた釣り糸を巻き返すことにより、投擲された釣り餌と釣り針が返ってくることができるようになる。
【０００５】
ここで、スプールを回転させる回転軸とハンドルは、構造の特性上、変速ギアを使用して、ハンドルの回転に伴うスプールの高速回転を誘発させるもので、一体に形成していないため、これらをネジ結合により構成することが通常的で、そのネジ結合部位は、別途のカバーを設置して外観を美麗にするのはもちろん、ネジがユーザーの指などに接触して、怪我をしないように流線型のカバーをかぶせ、これを保護することになる。
【０００６】
従来技術としては、韓国登録実用新案公報第２０-０１９４９９２号（２０００.０９.０１.公開）には、回転されるハンドル本体の一側に凹溝部を形成し、その凹溝部内でハンドル本体及び回転軸がネジ結合され、その凹溝部には、ハンドル本体の凹溝部と一致する形状を有する保護カバーを突出しないように挿入するが、一側は引っかかり突部により固定して，他側はスプール側からネジ固定して、ハンドル本体の外側に突出する部分が全くないようにすることにより、回転ハンドル及びスプールを高速で回転しても、ユーザーの手との摩擦が全く発生せず、その回転もスムーズな効果がある釣り用ベイトキャストリールのハンドルの結合構造が開示されている。
【０００７】
しかし、図１に示されるように、特許文献1のような従来の釣り用リールは、ハンドルが、スプールの回転を誘導する軸と常に垂直にのみ連結されることにより、釣りの間に釣り竿と常に平行状態を維持しているハンドルから、垂直に突出された取っ手をユーザーが把持して、ハンドルを回転させるときに、ユーザーの手首の過度な折れが発生することになり、釣り糸を巻いている間に、ユーザーの手首が折れた状態でハンドルを回転させることで、手首に無理を与えることになり、手首の疲労度が増加するようになり、ひどい場合は、手首の痛みを誘発させる問題があった。
【先行技術文献】
【特許文献】
【０００８】
【特許文献１】韓国登録実用新案公報第２０-０１９４９９２号
【発明の概要】
【発明が解決しようとする課題】
【０００９】
本発明は、上述した問題点をすべて解決するために案出されたもので、釣り用リール上端部を基準に、スプールを巻くハンドルが、角度変更手段を介してスプールシャフトと水平に連結されないようにして、釣りの間にユーザーがハンドルを回転させるとき、ユーザーの手首折れが防止され、手首に無理を与えないようにされることで、手首の痛みの誘発が遮断されている状態で、快適に釣りをするようにして、釣りの間にユーザーの姿勢が多様に変化しても、ハンドルを回転させる不便がないようにすることはもちろん、漁獲時のハンドルの回転が、容易で、迅速に対応すことができるようにし、ハンドルから発生される回転動力をスプールに効果的に伝達することができるようにし、スピニングリールまたはベイトキャストリールの両方に適用可能で、汎用性が増加されるようにし、釣りを初めて接する初心者でも楽に使用することができるようにする釣り用リールの提供にその目的がある。
【課題を解決するための手段】
【００１０】
前記課題を解決するために、本発明は、釣り竿に装着される本体と、前記本体に回転可能に設置されて釣り糸が巻けたり解けたりするようにするスプールと、前記スプールの回転を誘導するスプールシャフト変速ギアと連結されて、前記スプールを回転させるハンドルで構成される釣り用リールにおいて、前記ハンドルは、前記スプールシャフトの変速ギアと角度変更手段で連結され、前記ハンドルが連結された角度を変更して、前記スプールを回転させることによって手首に加わる負担を減らすことができることを特徴とする釣り用リールを提供する。
【００１１】
ここで、前記角度変更手段は、ベベルギアで構成され、前記ハンドルが前記スプールシャフトの変速ギアと変更された角度で連結された状態を維持し、回転されるようにすることにその特徴がある。
【００１２】
この時、前記ハンドルとスプールシャフトの変速ギアが連結された角度は、２０°乃至３０°に維持されることにもその特徴がある。
【００１３】
そして、前記角度変更手段は、ユニバーサルジョイントまたは等速ジョイントで構成され、前記ハンドルが回転される角度を可変的に適用することができることにもその特徴がある。
【００１４】
また、前記角度変更手段は、前記ハンドルと着脱可能なように連結されて結合されることにもその特徴がある。
【発明の効果】
【００１５】
本発明によると、角度変更手段を介して、ハンドルが、スプールシャフト変速ギアと垂直に連結されなくなり、釣りの間にユーザーがハンドルを回転させるときに、ユーザーの手首折れが防止され、手首に無理を与えないようにされることで、手首の痛みの誘発が遮断されている状態で、快適に釣りをすることができ、釣りの間にユーザーの姿勢が多様に変化しても、ハンドルを回転させる不便がないことはもちろん、漁獲時のハンドルの回転が、容易で、迅速に対応することができ、ハンドルから発生される回転動力がスプールに効果的に伝達され、スピニングリールまたはベイトキャストリールの両方に適用可能で、汎用性が増加され、釣りを初めて接する初心者でも楽に使用できる効果がある。
【図面の簡単な説明】
【００１６】
【図１】従来の釣り用リールを使用する様子を示した図である。
【図２】本発明に係る釣り用リールの平面図である。
【図３】（ａ）、（ｂ）は、本発明に係る釣り用リールの角度変更手段を示した斜視図である。
【図４】本発明に係る釣り用リールを使用する様子を示した図である。
【発明を実施するための形態】
【００１７】
以下、図面を参照して、実施例を中心に、本発明の構成について詳細に説明する。
図２乃至図４に示されるように、本発明は、釣り糸を巻くために、ハンドルを回転させる角度を変更して、ユーザーの手首折れを防止することができる釣り用リール１に関するもので、下側に構成された結合口１１を介して、釣り竿Ｆに装着される本体１０と、前記本体１０の内側に回転可能に設置されて、釣り糸が巻けたり解けたりするようにするスプール２０と、前記スプール２０の回転を誘導するスプールシャフトの変速ギア３０と連結され、前記スプール２０を回転させるハンドル４０とからなる。
【００１８】
ここで、前記ハンドル４０は、前記スプールシャフトの変速ギア３０と連結されるが、角度変更手段５０を介して連結されて結合されることにより、前記ハンドル４０が、前記スプールシャフトの変速ギア３０と連結された角度を変更して、前記スプール２０を回転させることができることに特徴がある。
【００１９】
これにより、前記ハンドル４０が、前記スプールシャフトの変速ギア３０と垂直に連結されず、釣りの間にユーザーが前記ハンドル４０を回転させるとき、手首折れが防止され、手首に無理を与えないようになることによって、快適に釣りを楽しむことができるようになる。
【００２０】
図３ａに示されたように、前記角度変更手段５０は、ベベルギアで構成されることができ、この時、前記角度変更手段５０は、前記スプールシャフトの変速ギア３０と変更された角度で連結された状態が維持され、前記ハンドル４０を回転させることができるようになるが、前記ハンドル４０とスプールシャフトの変速ギア３０が連結された角度は、２０°乃至３０°に維持されることが好ましく、これは、ユーザーの身体サイズまたは釣りパターン等の消費者のニーズに応じて、多様な角度に変更し、連結して製作可能であることはもちろん、前記角度変更手段５０は、鈍角ベベルギアで構成されることがより好ましい。
【００２１】
一方、前記角度変更手段５０は、前記ハンドル４０と着脱可能なように連結されて結合されることが好ましいが、これにより、前記ハンドル４０と角度変更手段５０を分離して老朽化した構成物の部分交換が容易であることはもちろん、前記ハンドル４０と角度変更手段５０の分離結合を介して、前記スプールシャフトの変速ギア３０とハンドル４０の連結角度を多様に設定して、リール１を製作することができるからである。
【００２２】
図３ｂに示されたように、前記角度変更手段５０は、ユニバーサルジョイントまたは等速ジョイントで構成されることができ、この時、前記角度変更手段５０は、前記スプールシャフトの変速ギア３０とハンドル４０を連結して結合させるが、ユーザーが前記ハンドル４０の取っ手４１を握って回転させるとき、前記ハンドル４０を回転させる角度を可変的に適用することができるようにする。
【００２３】
このように、ベベルギア、ユニバーサルジョイントまたは等速ジョイントで構成される前記角度変更手段５０を介して、前記スプールシャフトの変速ギア３０とハンドル４０を連結することにより、前記ハンドル４０が、前記スプールシャフトの変速ギア３０と直交される方向に連結されないようになり、釣りの間にユーザーが前記ハンドル４０を回転させるとき、前記取っ手４１を握ったユーザーの手首折れが防止され、手首に無理を与えたり、痛みを誘発させない状態で快適に釣りを楽しむことができるようになる。
【００２４】
併せて、前記の角度変更手段５０は、前記本体１０と前記ハンドル４０を連結するギアカバーＣの内側に位置するように構成されて、液体物質または異物との接触を遮断することはもちろん、前記ギアカバーＣを介して外気から保護された状態で、耐久性が維持され、作用することができるようにすることが好ましい。
【００２５】
参考に、本発明に係る釣り用リール１を説明するために、図面を構成するにあたり、ベイトキャストリールを主に示したが、本発明に係る釣り用リール１の角度変更手段５０は、スピニングリールのスプールシャフトの変速ギアとハンドルを連結するための手段としても適用されることが可能であることはもちろんである。
【００２６】
結局、本発明に係る釣り用リールは、角度変更手段を介してハンドルが、スプールシャフトの変速ギアと垂直に連結されないようになり、釣りの間にユーザーがハンドルを回転させるときに、ユーザーの手首折れが防止され、手首に無理を与えないようにされることで、手首の痛みの誘発が遮断されている状態で、快適に釣りをすることができ、釣りの間にユーザーの姿勢が多様に変化しても、ハンドルを回転させることには、不便がないことはもちろん、漁獲時のハンドルの回転が容易で、迅速に対応することができ、ハンドルから発生される回転動力がスプールに効果的に伝達され、スピニングリールまたはベイトキャストリールの両方に適用可能で、汎用性が増加され、釣りを初めて接する初心者でも楽に使用できるものである。
【００２７】
本発明では、前記実施形態は、一つの例示として、本発明は、ここに限定されるものではない。本発明の特許請求の範囲に記載された技術思想と実質的に同一構成を有して、同一作用効果をなすものは、どのようなものでも、本発明の技術的範囲に含まれる。
【００２８】
産業上の利用可能性
【００２９】
本発明に係る釣り用リールは、釣りの間にユーザーがハンドルを回転させるときに、ユーザーの手首折れが防止され、手首の痛みの誘発が遮断されている状態で、快適に釣りをすることができ、ハンドルから発生される回転動力がスプールに効果的伝達され、釣りを初めて接する初心者でも楽に使用することができるため、産業上の利用可能性がある。
【図１】
2018517417.tif 000003
【図２】
2018517417.tif 000004
【図３】
2018517417.tif 000005
【図４】
2018517417.tif 000006
【国際調査報告】
2018517417.tif 000007
2018517417.tif 000008
2018517417.tif 000009
2018517417.tif 000010